(57)【要約】      （修正有）【課題】シャーシとケーシングをビスによって取り付け固定して装置本体を構成し、その装置本体に電源部が配設された電気、電子装置において、前記ビスが前記電源部を構成する部品・部材に当接したり押圧力を与えることによって前記電源部に不具合が生じることを確実に回避させることができる電気・電子装置を提供する。【解決手段】シャーシ２とケーシング３を一体的に取り付け固定するためにビス８をネジ板１７に螺合させた際、ネジ８の先端と電源部４の構成部品であるヒューズ１９との間の位置において、トランス２０の唸り音を低減させるためのラバーパイプ２６を段付ビス２７を使用して基板２２に取り付け固定した。【選択図】図２
2008270393.tif 000002
【特許請求の範囲】
【請求項１】
装置本体を形成するケーシング及びシャーシと、そのシャーシに固定されて、電源部の構成部品・部材を取り付け固定する基板を備えて構成される電気・電子装置であって、
前記ケーシングと前記シャーシを互いに取り付け固定する第一のビスと、前記基板に前記電源部の構成部品・部材に取り付け固定する、又は、前記基板を前記シャーシに取り付け固定する第二のビスがほぼ同一平面上に位置する関係にあって、且つ、第二のビスが前記電源部の構成部品・部材に比して第一のビスにより近傍に配設されている場合に、第二のビスが、前記ケーシングと前記シャーシを固定化するために前記第一のビスの先端が前記ケーシングの内側に進む際に、前記第一のビスの先端が前記第二のビスに当接することによって第二のビスの位置よりも前記電源部の構成部品・部材に近接することを妨げるように、頭部、円柱部及びオネジ部からなる段付ビスであることを特徴とする電気・電子装置。
【発明の詳細な説明】
【技術分野】
【０００１】
この発明は、第一のビスによってケーシングとシャーシが取り付け固定されて装置本体が形成され、且つ、前記シャーシに、電源部の構成部品・部材を取り付け固定する基板が第二のビスによって取り付け固定されてなる電気・電子装置に関する。
特に、前記ケーシングとシャーシを取り付け固定するために前記第一のビスを螺合してその先端を装置本体内に進める際に、前記電源部の構成部品・部材に当接したり、圧迫を与えることによって、前記電源部そのものが破損したり、前記電源部の機能に不具合を与える場合があり、これを回避するための改良に関する。
【背景技術】
【０００２】
ケーシングとシャーシが第一のビスで取り付け固定されて装置本体が形成され、且つ、前記シャーシに、電源部の構成部品・部材を取り付け固定する基板が第二のビスで取り付け固定されてなる電気・電子装置においては、前記第一のビスを螺合して行くと、その先端を装置本体内に進めると、前記先端が電源部の構成部品・部材に当接したり圧迫を与えることによって、前記電源部そのものに不具合を与えたり、機能に不具合が生じる場合がある。
ここで、上述した不具合を回避するものとして、以下の特許文献が知られている。
【０００３】
【特許文献１】特開２０００−０５９０５０号公報
【発明の開示】
【発明が解決しようとする課題】
【０００４】
特開２０００−０５９０５０号公報で開示されている発明は、別体の絶縁物を必要とせずに、電源部品とシャーシの間を絶縁することができ、しかも構造が簡単でコストダウンを図ることが可能であることを目的として、筐体とシャーシを一体に固定するようにビスを筐体の内側に進めると、ビスの先端部が絶縁壁体に当接して、電源部品に前記ビスの先端部が当接することを回避させる構成が開示されている。
斯かる構成によって、電源部品は、前記ビスに対して前記絶縁壁体によって当接が回避されて、金属製品であるビスによって電気回路上で絶縁状態が保たれ、不具合は生じることがない。
【０００５】
上述したように、特開２０００−０５９０５０号公報で開示の発明は、電源部を構成する部品に取り付け用のビスが当接してショートが生じることが可能になっている。
装置そのものを構成している部品は、本来、ショートが生じたり、ホルダーや定位置からの脱落を避けるためにも、取り付け固定用のビスなどに当接されたり、押圧されることがないのが望ましい。
【０００６】
しかしながら、シャーシに対してケーシングを装着してビスで取り付け固定する場合では、使用するビスの長さと部品の配設位置を正確に把握していない場合には、結果的に、ビスの先端部が部品に当接したり、部品を押圧したりする場合が生じる。
斯かる場合において、不具合が全く生じない場合であれば差し支えないが、電源部を構成する部品の場合には、装置全体への電力の供給が停止する場合が生じ易く、甚だ大きな意味を持つ。
【０００７】
つまり、具体的には、ビスに当接・押圧される部品がヒューズである場合には、ビスの先端部で押圧されてヒューズがホルダーから脱落又は半脱落の状態になると、このことだけでメイン電源がＯＦＦになる若しくはＯＦＦになり易いということで、装置そのものが機能しない若しくは機能しない状態に陥り易いという問題が生じる。
他方、ビスに当接される部品がコンデンサである場合には、ビスは回転して進むのでコンデンサは押圧もされるが、ビスにコンデンサ・ケースがねじ込んで入り込まれることにもなり、基板への半田付けの弱い場合には半田付けが取れたり、コンデンサ・ケースに孔が開けられて本来の機能が得られず、結果的に、電源部そのものが所定通りに機能せず、最終的に、装置そのものが所定通りに機能しないという場合が生じることになる。
【０００８】
ビスに当接される部品がトランスの場合であって、そのトランスが外ケースのないタイプであって巻きコイルが剥き出しの場合には、コイルがビスによって外側絶縁膜が破損されてショートが生じ、結果的に、電源部そのものが所定通りに機能せず、最終的に、装置そのものが所定通りに機能しないという場合が生じることになる。
又、電源部構成用の部材が放熱ブロックであって、この放熱ブロックに取り付け固定用のビスが押圧する場合では、放熱ブロックの位置や姿勢が変わって所定の放熱作用が得られず、結果的に、当該電源部及び装置そのものの劣化を早めるという問題が生じる。
【０００９】
この発明は、上述した事情に鑑みてなされたものであり、どの部品も取り付け用ビス等に当接されたり押圧されることは本来的に望ましくないが、殊に、ビスによってシャーシとケーシングを取り付け固定する場合に、電源部を構成する部品にビスの先端部が当接したり押圧力を与えることを確実に回避し、よって、電源部に不具合の生じることのない電気・電子装置を提供するものである。  
【課題を解決するための手段】
【００１０】
この発明は、段付ビスが、シャーシとケーシングとの取り付け固定用のビスが電源部構成用の部品・部材に当接・押圧することを妨げるように配設されてなる電気・電子装置である。
その詳細な構成は、装置本体を形成するケーシング及びシャーシと、そのシャーシに固定されて、電源部の構成部品・部材を取り付け固定する基板を備えて構成される電気・電子装置であって、前記ケーシングと前記シャーシを互いに取り付け固定する第一のビスと、前記基板に前記電源部の構成部品・部材に取り付け固定する、又は、前記基板を前記シャーシに取り付け固定する第二のビスがほぼ同一平面上に位置する関係にあって、且つ、第二のビスが前記電源部の構成部品・部材に比して第一のビスにより近傍に配設されている場合に、第二のビスが、前記ケーシングと前記シャーシを固定化するために前記第一のビスの先端が前記ケーシングの内側に進む際に、前記第一のビスの先端が前記第二のビスに当接することによって第二のビスの位置よりも前記電源部の構成部品・部材に近接することを妨げるように、頭部、円柱部及びオネジ部からなる段付ビスであることを特徴とする電気・電子装置である。
【００１１】
斯かる構成の電気・電子装置では、第一のビスが電源部構成用の部品・部材に近接すると、第二のビスが第一のビスに当接して第一のビスの進行を妨げる。
又、電源部を構成するものとして部品と部材の二つの言葉を使っているが、上述した例においては、電気回路的に機能するものを部品、電気回路的な機能をしないものを部材というような意味合いで使用している。
【００１２】
しかし、この発明は、上述した解決すべき課題等から明らかなように、取り付け固定用のビスによって電源部に生じる問題の解決を目的としており、従って、部品と部材の明確な定義付けが問題ではなく、取り付け固定用のビスに当接・押圧されて不都合を生じるもの全てが対象になっている。
段付ビスとは、上端部に位置して螺合のための回転力を受ける頭部と、下端部であってオネジが形成されているオネジ部と、それら頭部とオネジ部の間にあってオネジ部に比して径が大きい円柱部が軸線を共通して一体化されて構成されるビスを意味する。
【発明の効果】
【００１３】
この発明は、第一のビスがシャーシとケーシングを互いに取り付け固定するように螺合されてその先端部が電源部構成用の部品・部材に近接すると、第二のビスが第一のビスに当接して第一のビスの進行を妨げるので、電源部を構成する部品・部材が第一のビスによって当接されたり、押圧力を受けたりすることはないので、シャーシとケーシングとの取り付け固定のためのビスによって電源部に不具合が生じることはなく、結果的に、装置が所定通りに機能しない、電源部そのものや装置の劣化が早まる、といったことの生じない電気・電子装置である。
【発明を実施するための最良の形態】
【００１４】
以下において、この発明を実施するための最良の形態を、図面に基づいて説明する。しかし、この最良の形態において、この発明が限定されるものではない。
電気・電子装置は、具体的にはＣＤを再生するＣＤプレーヤ１であって、図面に示すように、装置を構成する部品・部材が組み付けられるシャーシ２と、トップカバーであるケーシング３と、電源部４が備えられている。
【００１５】
シャーシ２とケーシング３は、ビス５，６，７，８によって取り付け固定されて、装置本体を構成している。
９，１０，１１，１２は、ケーシング３に開設された通孔であって、それぞれビス５，６，７，８が挿通するものである。
【００１６】
シャーシ２には、ビス５，６，７がそれぞれ螺合するメネジ部１３，１４，１５が形成されている。
更に、シャーシ２には、ケーシング３と一体化された際に通孔１２と対応する位置に通孔１６が開設され、ネジ板１７が付設させれている。
【００１７】
ネジ板１７には、ビス８と螺合し得るメネジ部１８が形成されている。つまり、シャーシ２とケーシング３が一体化する際には、ビス８は通孔１６に挿通され且つネジ板１７のメネジ部１８と螺合する構成になっている。
電源部４は、ヒューズ１９、トランス２０、電力供給用のコネクタ２１、リレー（図示省略）等を備え、装置が機能するための電力を供給するものである。
【００１８】
電源部４はその構成部品・部材が絶縁性の基板２２に載置され、基板２２の裏面に形成された導通パターン（図示省略）と前記部品・部材との接続によって回路が構成されている。
つまり、基板２２は、電源部４を構成する部品・部材を取り付け固定すると共に、回路を構成する機能を有している。
【００１９】
基板２２は、スペーサ固定部材２３によってシャーシ２に対して間隙を有して固定されている。
又、シャーシ２の一部が折曲状の舌片２４，２５に形成され、基板２２は舌片２４，２５にネジ止めされており、基板２２は実質的にシャーシ２に固定されている。
【００２０】
基板２２には、ネジ板１７と電源部４の構成部品・部材であるヒューズ１９の間において、ゴム材料で筒状に形成されてトランス２０の唸り音を低減させるためのラバーパイプ２６が段付ビス２７によって固定されている。２８は、基板２２の裏面に配設されて、段付ビス２７と螺合するナットである。
ここで、ネジ板１７のメネジ部１８に螺合された状態のビス８とシャーシ２のメネジ部（図示省略）に螺合されている状態の段付ビス２７は共に、同一平面上に位置している。
【００２１】
段付ビス２７は、ビス８に対してヒューズ１９に比してより一層近傍に配設されているので、ビス８は、段付ビス２７の位置を超えてヒューズ１９の方向に進むことはない。
尚、段付ビス２７とは、上端部に位置して螺合のための回転力を受ける頭部２９、下端部であってオネジが形成されているオネジ部３０及びそれら頭部２９とオネジ部３０の間にあってオネジ部３０に比して径が大きい円柱部３１が軸線を共通して一体化されて構成されるビスを意味する。
【００２２】
電気・電子装置であるＣＤプレーヤ１及びこの発明の要部である電源部４は、上述したように構成されている。
従って、部品・部材が組み付けられたシャーシ２に対してケーシング３を取り付け固定する際は、作業者は、シャーシ２に設けたメネジ部１３，１４，１５に対してそれぞれケーシング３の通孔９，１０，１１が対応するように、シャーシ２に上方からケーシング３を被せる。
【００２３】
ここで、作業者は、ビス５を通孔９に挿通させてからメネジ部１３に螺合し、次に、ビス６を通孔１０に挿通させてからメネジ部１４に螺合し、続いて、ビス７を通孔１１に挿通させてからメネジ部１５に螺合する。
更に、作業者は、ビス８を通孔１２及びシャーシ２に設けた通孔１６に挿通させてからメネジ部１８に螺合する。
【００２４】
この時、ビス８が短くてネジ板１７に到らない場合には、ビス８はメネジ部１８に螺合しない、つまり、ネジが効かない状態であるから、作業者は、ビス８が短すぎて必要な長さでないことを知って長いビス８への交換を行う。
他方、ビス８が十分に長くネジ板１７のメネジ部１８を挿通し、その先端が更に進めとラバーパイプ２６に当接してそれより先に進むことはない。
【００２５】
従って、ビス８は、ラバーパイプ２６の前方に位置するヒューズ１９に到ることはないから、押圧力を与えて破損させ、結果的に電源部４の機能を停止させるといった事態は生じない。
作業者は、ビス８のヘッド（図示省略）とケーシング３との間に間隙があって且つビス８が進まないことから、ビス８が長すぎることを知って短いビス８への交換を行う。
【００２６】
作業者は、結果的に、ネジ板１７のメネジ部１８に螺合し、且つ、ラバーパイプ２６に当接することのない最適な長さのビス８を見付け出し、シャーシ２にケーシング３を取り付け固定させることが可能になる。
ここで、上述した長いビス８を使用した場合では、ビス８がラバーパイプ２６に当接してそれ以上にヒューズ１９に近接することはないが、このことは段付ビス２７が実質的にビス８のヒューズ１９への近接を妨げていると言える。
【００２７】
ＣＤプレーヤ１では、段付ビス２７によってネジ８からの当接や押圧が妨げられている対象はヒューズ１９であるが、電源部４を構成するトランス、コンデンサ、整流ダイオード等であってもよい。
又、ＣＤプレーヤ１では、段付ビス２７によって固定されているものはラバーパイプ２６であるが、基板２２をシャーシに取り付け固定する場合、放熱部材を基板２２の裏面に取り付け固定する場合等であってもよい。
【００２８】
ＣＤプレーヤ１では、ビス８がシャーシ２の側と螺合する場合に、ネジ板１７のメネジ部１８と螺合しているが、ネジ板１７を備えずに、シャーシ２の通孔１６の部位にメネジ部を形成して、シャーシ２に螺合する構成であってもよい。
ＣＤプレーヤ１では、段付ビス２７の長さ、径、ネジのピッチ等は特定していないが、段付ビス２７の使用箇所、段付ビス２７によって取り付け固定する対象、ビス８の配設の位置等に合わせて、適宜選択するのが望ましい。
【００２９】
上述した実施の形態では電気・電子装置がＣＤプレーヤ１であるが、電源部が備えられ且つその電源部を構成する部品・部材にシャーシとケーシングを取り付け固定するビスが当接したり押圧力を与える電気・電子装置であれば、例えばアンプ、チューナー、映像装置であっても当該発明は効果を奏する。
【図面の簡単な説明】
【００３０】
【図１】この発明を実施するための最良の形態の構成を示す分解斜視図である。
【図２】図１に示す形態で取り付け固定した際の要部の斜視図である。
【図３】図２のＡ−Ａ断面図である。
【符号の説明】
【００３１】
１：      ＣＤプレーヤ（電気・電子装置）
２：      シャーシ
３：      ケーシング
４：      電源部
８：      ビス
１８：    メネジ部
１９：    ヒューズ（電源部の構成部品）
２７：    段付ビス
【図１】
2008270393.tif 000003
【図２】
2008270393.tif 000004
【図３】
2008270393.tif 000005